(57)【要約】【課題】シール材のマスキング作業を安定的、且つ迅速に行うことができる液状物質塗布用枠を備えたフィルタ枠体を提供する。【解決手段】液状物質１を塗布する凹溝２を予め備えた前・後面側型材３と、スライド片４をスライドして装着することにより、液状物質１を塗布する凹溝５が形成される左・右面側型材６とを方形枠状に接合固定すると共に、前記前・後面側型材３、スライド片４および前記左・右面側型材６との接合部に、シール材２６でマスキングして、前記前・後面側型材６の凹溝２と、左・右面側型材６の凹溝５に液状物質１を塗布する。【選択図】図４
2004050115.tif 000002
【特許請求の範囲】
【請求項１】
液状物質を塗布する凹溝を予め備えた前・後面側型材と、スライド片を装着することにより液状物質を塗布する凹溝が形成される左・右面側型材とを、方形枠状に接合固定して液状物質塗布用枠を備えたフィルタ枠体が形成され、
前記前・後面側型材は、フィルタの前・後面側端部に当接する長方形状をした垂直片の外側の中央部付近に水平片を突設し、且つ該水平片の外側端に起立片を突設して、前記垂直片・水平片および起立片とで凹溝を設けて形成され、
前記左・右面側型材は、フィルタの左・右面側端縁部に当接する長方形状をした垂直片の外側の中央部付近に、外方端縁部に、高さの低い起立片を立設した水平片を突設すると共に、前記高さの低い起立片の内側に接するようにして、前記水平片上にスライド溝を凹設して形成され、
更に、前記前・後面側型材の両端の内側に位置する垂直片の上方部を、前記水平片までの高さで、且つ左・右面側型材の巾の分まで切断して切断部を設け、
前記左・右面側型材のスライド溝には、前記高さの低い起立片上に載置されて、高さが前記垂直片の上面と面一となると共に、前記垂直片の長さに、前記前・後面側型材の巾を加えた長さを有するスライド片が装入されて、垂直片と水平片およびスライド片とにより凹溝が形成され、
前記スライド片は、前記左・右面側型材のスライド溝に、下端に設けられた小巾の装入片を装入すると共に、該装入片に連設して設けられた段部が前記高さの低い起立片上に載置されて摺動できるように形成され、更に前記スライド片の先方部は、前・後面側型材の起立片の端縁部に当接するまで摺動して設置され、
前記前・後面側型材と左・右面側型材を方形枠状に接合して液状物質塗布用枠を備えたフィルタ枠体が形成されると共に、前・後面側型材、スライド片および左・右面側型材との接合部を、シール材でマスキングして、前記前・後面側型材の凹溝と、左・右面側型材の凹溝に液状物質を塗布するようにしたことを特徴とする液状物質塗布用枠を備えたフィルタ枠体。
【請求項２】
液状物質を塗布する凹溝を予め備えた前・後面側型材と、スライド片を装着することにより液状物質を塗布する凹溝が形成される左・右面側型材とを、方形枠状に接合固定して液状物質塗布用枠を備えたフィルタ枠体が形成され、
前記前・後面側型材は、フィルタの前・後面側端部に当接する長方形状をした垂直片の外側の中央部付近に水平片を突設し、且つ該水平片の外側端に起立片を突設して、前記垂直片・水平片および起立片とで凹溝を設けて形成され、
前記左・右面側型材は、フィルタの左・右面側端縁部に当接する長方形状をした垂直片の外側の中央部付近に、外方端縁部に、高さの低い起立片を立設した水平片を突設すると共に、前記高さの低い起立片の内側に接するようにして、前記水平片上にスライド溝を凹設して形成され、
更に、前記前・後面側型材の両端の内側に位置する垂直片の上方部を、前記水平片までの高さで、且つ左・右面側型材の巾の分まで切断して切断部を設け、
前記左・右面側型材のスライド溝には、前記高さの低い起立片上に載置されて、高さが前記垂直片の上面と面一となると共に、前記垂直片の長さに、前記前・後面側型材の巾を加えた長さを有するスライド片が装入されて、垂直片と水平片およびスライド片とにより凹溝が形成され、
前記スライド片は、前記左・右面側型材のスライド溝に、下端に設けられた小巾の装入片を装入すると共に、該装入片に連設して設けられた段部が前記高さの低い起立片上に載置されて摺動できるように形成され、更に前記スライド片の先方部は、前・後面側型材の起立片の端縁部に当接するまで摺動して設置され、
前記前・後面側型材と左・右面側型材を方形枠状に接合して液状物質塗布用枠を備えたフィルタ枠体が形成されると共に、前記前・後面側型材の凹溝と、左・右面側型材の凹溝に粘度の高い液状物質を塗布するようにしたことを特徴とする液状物質塗布用枠を備えたフィルタ枠体。
【発明の詳細な説明】
【０００１】
【発明の属する技術分野】本発明は、クリーンルームに用いられる高性能フィルタ装置において、気密性を要求されるフィルタの取付時に使用する液状物質塗布用枠を備えたフィルタ枠体に関するものである。
【０００２】
【従来の技術】従来、液状物質塗布用枠４１を備えたフィルタ枠体４２は、内周側面にフィルタＦを取付ける方形枠状のフィルタ枠体４２において、該フィルタ枠体４２の上流側に位置する外周側面板４３の上部折曲片４４上に固定されている。すなわち、図６、図７に示すように、液状物質塗布用枠４１は、凹溝４５を備えた４本の型材４６の接合端縁部４７を４５°の角度に切断すると共に、各接合端縁部４７をそれぞれ当接して、前記フィルタ枠体４２の外周側面板４３の上部折曲片４４にビス等の接合材４８により一体に固定して形成されている。
【０００３】そして、各凹溝４５を備えた型材４６の各接合端縁部４７間、および前記液状物質塗布用枠４１の外側面とフィルタ枠体４２を構成する上部折曲片４４との間に、それぞれシール材（図示せず）でマスキングして密閉し、前記液状物質塗布用枠４１の凹溝４５に液状物質４９を塗布する。
【０００４】その後、図８に示すように、壁面等に固定された取付材５０の折曲片５１を前記液状物質４９に挿入して気密性を維持するように形成されている。
【０００５】
【発明が解決しようとする課題】前記従来の液状物質塗布用枠は、それぞれ接合端縁部４７を４５°の角度に切断した４本の型材４６を、前記各接合端縁部４７において当接して、フィルタ枠体４２の外周側面板４３の上部折曲片４４にビス等の接合材４８により一体に固定しなければならないので、前記各型材４６の取付けに手間がかかり、また均一な液状物質塗布用枠４１を得るのが困難であるという課題があった。
【０００６】更に、各凹溝４５を備えた型材４６の各接合端縁部４７間、および前記液状物質塗布用枠４１の外側面とフィルタ枠体４２を構成する上部折曲片４４との間に、それぞれシール材でマスキング作業をするが、前記のような均一な液状物質塗布用枠４１を得るのが困難であるため、前記マスキング作業が安定的、且つ迅速にできないという課題があった。
【０００７】本発明は、前記課題を解決すべくなしたもので、組立作業が簡単で、且つ均一な液状物質塗布用枠が得られ、シール材のマスキング作業を安定的、且つ迅速に行うことができる液状物質塗布用枠を備えたフィルタ枠体、あるいは粘度の高い液状物質を塗布することによりマスキングを不要とする液状物質塗布用枠を備えたフィルタ枠体を提供しようとするものである。
【０００８】
【課題を解決するための手段】本発明は、液状物質を塗布する凹溝を予め備えた前・後面側型材と、スライド片を装着することにより液状物質を塗布する凹溝が形成される左・右面側型材とを、方形枠状に接合固定して液状物質塗布用枠を備えたフィルタ枠体が形成され、
前記前・後面側型材は、フィルタの前・後面側端部に当接する長方形状をした垂直片の外側の中央部付近に水平片を突設し、且つ該水平片の外側端に起立片を突設して、前記垂直片・水平片および起立片とで凹溝を設けて形成され、
前記左・右面側型材は、フィルタの左・右面側端縁部に当接する長方形状をした垂直片の外側の中央部付近に、外方端縁部に、高さの低い起立片を立設した水平片を突設すると共に、前記高さの低い起立片の内側に接するようにして、前記水平片上にスライド溝を凹設して形成され、
更に、前記前・後面側型材の両端の内側に位置する垂直片の上方部を、前記水平片までの高さで、且つ左・右面側型材の巾の分まで切断して切断部を設け、
前記左・右面側型材のスライド溝には、前記高さの低い起立片上に載置されて、高さが前記垂直片の上面と面一となると共に、前記垂直片の長さに、前記前・後面側型材の巾を加えた長さを有するスライド片が装入されて、垂直片と水平片およびスライド片とにより凹溝が形成され、
前記スライド片は、前記左・右面側型材のスライド溝に、下端に設けられた小巾の装入片を装入すると共に、該装入片に連設して設けられた段部が前記高さの低い起立片上に載置されて摺動できるように形成され、更に前記スライド片の先方部は、前・後面側型材の起立片の端縁部に当接するまで摺動して設置され、
前記前・後面側型材と左・右面側型材を方形枠状に接合して液状物質塗布用枠を備えたフィルタ枠体が形成されると共に、前・後面側型材、スライド片および左・右面側型材との接合部を、シール材でマスキングして、前記前・後面側型材の凹溝と、左・右面側型材の凹溝に液状物質を塗布するという手段、または、
液状物質を塗布する凹溝を予め備えた前・後面側型材と、スライド片を装着することにより液状物質を塗布する凹溝が形成される左・右面側型材とを、方形枠状に接合固定して液状物質塗布用枠を備えたフィルタ枠体が形成され、
前記前・後面側型材は、フィルタの前・後面側端部に当接する長方形状をした垂直片の外側の中央部付近に水平片を突設し、且つ該水平片の外側端に起立片を突設して、前記垂直片・水平片および起立片とで凹溝を設けて形成され、
前記左・右面側型材は、フィルタの左・右面側端縁部に当接する長方形状をした垂直片の外側の中央部付近に、外方端縁部に、高さの低い起立片を立設した水平片を突設すると共に、前記高さの低い起立片の内側に接するようにして、前記水平片上にスライド溝を凹設して形成され、
更に、前記前・後面側型材の両端の内側に位置する垂直片の上方部を、前記水平片までの高さで、且つ左・右面側型材の巾の分まで切断して切断部を設け、
前記左・右面側型材のスライド溝には、前記高さの低い起立片上に載置されて、高さが前記垂直片の上面と面一となると共に、前記垂直片の長さに、前記前・後面側型材の巾を加えた長さを有するスライド片が装入されて、垂直片と水平片およびスライド片とにより凹溝が形成され、
前記スライド片は、前記左・右面側型材のスライド溝に、下端に設けられた小巾の装入片を装入すると共に、該装入片に連設して設けられた段部が前記高さの低い起立片上に載置されて摺動できるように形成され、更に前記スライド片の先方部は、前・後面側型材の起立片の端縁部に当接するまで摺動して設置され、
前記前・後面側型材と左・右面側型材を方形枠状に接合して液状物質塗布用枠を備えたフィルタ枠体が形成されると共に、前記前・後面側型材の凹溝と、左・右面側型材の凹溝に粘度の高い液状物質を塗布するという手段、
を採用することにより、上記課題を解決した。
【０００９】
【発明の実施の形態】本発明の実施の形態を図面に基づいて詳細に説明すると、液状物質１を塗布する凹溝２を予め備えた前・後面側型材３と、スライド片４をスライドして装着することにより液状物質１を塗布する凹溝５が形成される左・右面側型材６とを方形枠状に接合固定することにより、液状物質塗布用枠７を備えたフィルタ枠体８が形成されている。
【００１０】前記前・後面側型材３は、フィルタＦの巾と同一長さの長方形状をした垂直片９の内側面上下縁にフィルタＦの前・後面側端縁部分の上下部にそれぞれ当接する折曲片１０・１１を水平に突設すると共に、前記垂直片９の外側の中央部付近に水平片１２を突設し、且つ該水平片１２の外側端に前記上方の折曲片１０の上端と面一となる起立片１３を突設して、前記垂直片９・水平片１２および起立片１３とで凹溝２を設ける一方、前記垂直片９の外側下端縁に補強片１４を水平に突設して形成されている。
【００１１】また、前記左・右面側型材６は、フィルタＦの左・右面側端縁部に当接する長方形状をした垂直片１５の外側の中央部付近に、外方端縁部に、高さの低い起立片１６を立設した水平片１７を突設すると共に、前記高さの低い起立片１６の内側に接するようにして、前記水平片１７上にスライド溝１８を凹設し、且つ前記垂直片１５の外側下端縁に補強片１９を水平に突設し、更に該垂直片１５の外側の前記水平片１７の下面において、タッピング螺子２０を圧入させて固定する断面半円状のタッピング螺子受け２１を突設して形成されている。
【００１２】そして、前記構成より成る前・後面側型材３と、左・右面側型材６とを方形枠状に接合固定して、液状物質塗布用枠７を備えたフィルタ枠体８を形成するのであるが、前記型材３・６の接合固定に当って、前記前・後面側型材３の両端の内側に位置する垂直片９の上方部を、前記水平片１２までの高さで、且つ左・右面側型材６の巾の分まで切断して切断部２２を設ける。
【００１３】前記左・右面側型材６のスライド溝１８には、前記高さの低い起立片１６上に載置されて、高さが前記垂直片１５の上面と面一となると共に、前記垂直片１５の長さに、前記前・後面側型材３の巾を加えた長さを有するスライド片４が装入されて、垂直片１５と水平片１７およびスライド片４とにより凹溝５が形成されている。
【００１４】前記スライド片４は、前記左・右面側型材６のスライド溝１８に、下端に設けられた小巾の装入片２３を装入すると共に、該装入片２３に連設して設けられた段部２４が前記高さの低い起立片１６上に載置されて摺動できるように形成され、更に前記スライド片４の先方部は、前・後面側型材３の起立片１３の端縁部に当接するまで摺動して設置する。
【００１５】そして、前記前・後面側型材３と左・右面側型材６を方形枠状に接合した後、前記前・後面側型材３の各両端部の垂直片９に穿設された螺子孔２５からタッピング螺子２０を挿入して、タッピング螺子受け２１にそれぞれ圧入することにより、前記前・後面側型材３と左・右面側型材６は強固に固定され、液状物質塗布用枠７を備えたフィルタ枠体８が形成されている。
【００１６】その後、前・後面側型材３、スライド片４および左・右面側型材６との接合部に、シール材２６でマスキングして、前記前・後面側型材３の凹溝２と、左・右面側型材６の凹溝５に液状物質１を塗布し、壁面等に固定された取付材２７の折曲片２８を前記液状物質１に挿入して、気密性を維持したフィルタ装置が形成される。
【００１７】なお、本発明の場合、シール材２６でマスキングするのは、前・後面側型材３の凹溝２と、左・右面側型材６の凹溝５の凹溝部のみで、従来のように凹溝部以外の部分にもマスキングする必要がないので、図示していないが、前記各凹溝２・５に塗布する液状物質１の粘度が高い場合は、該粘度の高い液状物質１がシール材としての作用を果たすので、前記前・後面側型材３、スライド片４および左・右面側型材６との接合部に、シール材でマスキングする必要はなく、単に前記凹溝２・５に粘度の高い液状物質１を塗布するだけでよく、作業性にも優れている。
【００１８】
【発明の効果】本発明は上述のようであるから、請求項１の発明の場合、スライド片をスライド溝に装入してスライドさせて、前・後面側型材とスライド片および左・右面側型材との接合部をシール材でマスキングするのみで、均一な液状物質塗布用の凹溝を有する液状物質塗布枠を備えたフィルタ枠体が得られ、またシール材のマスキング作業を安定的、且つ迅速に行うことができる。また、請求項２の発明の場合、粘度の高い液状物質を液状物質塗布用の凹溝に塗布することにより、シール材のマスキングが不要で、作業性に優れているという効果を奏する。
【図面の簡単な説明】
【図１】本発明液状物質塗布用枠を備えたフィルタ枠体を上流側から見た全体の平面図である。
【図２】本発明液状物質塗布用枠を備えたフィルタ枠体の要部の組立分解斜視図である。
【図３】本発明液状物質塗布用枠を備えたフィルタ枠体において、スライド片をスライド溝に装入している状態を示す要部の斜視図である。
【図４】本発明液状物質塗布用枠を備えたフィルタ枠体の組立完了後の状態を示す要部の斜視図である。
【図５】本発明液状物質塗布用枠を備えたフィルタ枠体において、壁面等に固定された取付材の折曲片を液状物質に挿入した状態を示す要部の断面図である
。
【図６】従来の液状物質塗布用枠を備えたフィルタ枠体を上流側から見た全体の平面図である。
【図７】従来の液状物質塗布用枠を備えたフィルタ枠体の要部の組立分解斜視図である。
【図８】従来の液状物質塗布用枠を備えたフィルタ枠体において、壁面等に固定された取付材の折曲片を液状物質に挿入した状態を示す要部の断面図である
。
【符号の説明】
Ｆ　フィルタ、　１　液状物質、　２　凹溝、　３　前・後面側型材、　４　スライド片、　５　凹溝、　６　左・右面側型材、　７　液状物質塗布用枠、　８　フィルタ枠体、９　垂直片、　１０・１１　折曲片、　１２　水平片、　１３　起立片、　１４　補強片、　１５　垂直片、　１６　起立片、　１７　水平片、　１８　スライド溝、　１９　補強片、　２０　タッピング螺子、　２１　タッピング螺子受け、　２２　切断部、　２３　装入片、　２４　段部、　２５螺子孔、　２６　シール材、　２７　取付材、　２８　折曲片。
【図１】
2004050115.tif 000003
【図２】
2004050115.tif 000004
【図３】
2004050115.tif 000005
【図４】
2004050115.tif 000006
【図５】
2004050115.tif 000007
【図６】
2004050115.tif 000008
【図７】
2004050115.tif 000009
【図８】
2004050115.tif 000010